(57)【要約】【課題】ビデオを表示する方法および装置を提供すること。【解決手段】ビデオ信号での画素間隔について画素サブ間隔を決定するステップと、ひとつのサブ間隔から他のサブ間隔へ、表示装置の表示パネルの透過率を調整するステップと、前記ひとつのサブ間隔から前記他のサブ間隔へ、バックライトのバックライト強度を調整するステップとを含む、表示装置における色深度を拡大する方法。【選択図】図１
2008129127.tif 000002
【特許請求の範囲】
【請求項１】
ビデオ信号における画素間隔に対して画素サブ間隔を決定するステップと、
ひとつのサブ間隔から他のサブ間隔へ、前記表示装置（２００）の表示パネル（２０４）の透過率を調整するステップと、
前記ひとつのサブ間隔から前記他のサブ間隔へ、バックライト（２０２）のバックライト強度を調整するステップと、
を含む表示装置における色深度を拡張する方法。
【請求項２】
ビデオ信号での画素間隔について画素サブ間隔を決定するステップと、
前記画素サブ間隔の光源調整を決定するステップと、
前記光源調整に基づいて光源（２０２）の強度を調整するステップと、
前記表示装置（２００）の表示パネル（２０４）の透過率を各サブ間隔の前記光源調整と同期させるステップと、
を含む表示装置における色深度を拡張する方法。
【請求項３】
光源（２０２）と、
前記光源（２０２）に結合された光源ドライバ（２１０）と、
前記光源（２０２）に隣接して配置された透過型表示パネル（２０４）と、
前記表示パネル（２０４）に結合された表示パネル制御回路（２１２）と、
前記光源ドライバ（２１０）および前記表示パネル制御回路（２１２）に結合されたディザリング回路（２０８）とを含み、前記ディザリング回路は、
ビデオ信号での画素間隔について画素サブ間隔を決定するための論理と、
ひとつのサブ間隔から他のサブ間隔へ、前記表示パネル（２０４）の透過率を調整するための論理と、
前記ひとつのサブ間隔から前記他のサブ間隔へ、光源強度を調整するための論理と、を含む、
拡大された色深度を有する表示装置。
【発明の詳細な説明】
【技術分野】
【０００１】
実施形態は、一般にビデオを表示する方法および装置に関する。
【背景技術】
【０００２】
理想的には、液晶表示装置（ＬＣＤ）などのビデオ表示装置は、３原色、例えば、赤、緑、青すべてについて様々な色調を絶え間なく表示する能力を備えるべきである。したがって、表示装置の各画素は、原色の線型結合として無数の色と強度を生成できるはずである。しかし、表示物理学、表示メモリサイズ、ドライバの限界などいくつかの要因により、利用可能な色強度の数は低減する。
【０００３】
従来型のＬＣＤは、バックライト、偏光フィルタ、その他の光学フィルタ、および液晶（ＬＣ）セルを含む液晶パネルを備えている。液晶パネルでは、画素が、それぞれ各原色に対応する３つの隣接するＬＣセルで構成される。ＬＣＤでは、画素の色と強度が、その３つの隣接するＬＣセルに印加される電圧によって決定される。具体的には、各セルの光線透過率が、セルに印加される電圧の関数である。最後に、バックライトおよび色フィルタが、本来ならモノクロであるセルに、赤、緑、青の色を与える。バックライトは、任意の光パイピングを有する、冷陰極蛍光ランプ（ｃｏｌｄ  ｃａｔｈｏｄｅ  ｆｌｕｏｒｅｓｃｅｎｔ  ｌａｍｐｓ）（ＣＣＦＬ）または発光ダイオード（ＬＥＤ）列で構成されてよい。ＬＣＤはまた、光を分散する拡散スクリーンを含んでもよい。
【０００４】
薄膜トランジスタ（ＴＦＴ）ＬＣＤパネルでは、デジタル／アナログ変換器（ＤＡＣ）によって各ＬＣセルへの電圧が生成される。電圧は、そのＬＣセルに一意に関連するローカルトランジスタを介してローカルコンデンサにストローブされる。各ＬＣセルは、少なくともＬＣＤのフィールドレートまたはフレームレートでリフレッシュされなければならない。典型的なＬＣＤは６ビットＤＡＣを含んでよく、これは総パレット色数２６２,１６４色を作り出すことができるはずである。より高価なユニットは８ビットＤＡＣを含んでよく、これは総パレット色数１６,７７７,２１６色を作り出すことができるはずである。したがって、大型のＬＣＤは大量のＤＡＣを要する。さらに、複雑なため、ＤＡＣのビット容量が増すにつれて各ＤＡＣの大きさが増大する。７ビットＤＡＣは６ビットＤＡＣのほぼ２倍の大きさがあり、８ビットＤＡＣは７ビットＤＡＣの２倍の大きさである。
【０００５】
色に関する情報に加えて、ガンマのような補正をサポートするために、また適用可能な温度範囲にわたりローカルＬＣセルコンデンサのバイアスをゼロに設定するために、追加ビットが必要とされる。現行技術では、ＬＣＤは計６４電圧レベルを使用して制御される。ただし、より高価なＬＣＤは２５６電圧レベルを使用してよい。しかし、ＬＣＤの色深度および強度の範囲を拡大するために、空間／時間ディザリングなど他の技術が使用されてよい。
【０００６】
時間ディザリングは、各画素期間内で何度か画素を更新することを含む。図１は、時間ディザリングの一例を示す。図１に示すように、パネルのバックライトが均一強度ｌ０を生成する（グラフ１０１）。各画素間隔が、４つのサブ間隔Ｔ、２Ｔ、３Ｔ、４Ｔに分割される。各画素が、ＤＡＣの出力によって、両者の間隔をδＴｒとするＴｒｎレベルまたはその次に高いレベルＴｒｎ＋１のどちらかで駆動されると想定される。転換は、画素期間の４つのサブ間隔を定義するＴ、２Ｔ、３Ｔ、あるいは４Ｔ指標でだけ生じてよい。トランジスタがＴｒｎ＋１をＬＣセルに印加する。１つ、２つ、あるいは３つのサブ間隔にはより高い電圧と、Ｔｒｎは均衡にである（グラフ１０２、１０４、１０６、１０８、および１１０）。人間の眼は通常、画素出力を３つの中間値に統合する。例えば、パネル１０４に示すように、Ｔｒｎ＋１がサブ期間Ｔで印加される。その結果、ＬＣセルの有効透過率はＴｒｎ＋０．２５δＴｒであり、画素強度はｌ０（Ｔｒｎ＋０．２５δＴｒ）である。
【発明の開示】
【発明が解決しようとする課題】
【０００７】
したがって、サブ期間中の様々な透過率によって、色ごとに３つの余分なグレーシェードが生成され、これは表示装置の色深度に事実上の増大をもたらす。しかし、色ごとに３つの余分なグレーシェードを得るだけでは、ディザリング処理によって使用される４つの余分なビットの十分な可能性が利用されていない。
【課題を解決するための手段】
【０００８】
本発明の実施形態は、表示装置における色深度を拡大する方法に関する。この方法は、ビデオ信号での画素間隔について画素サブ間隔を決定すること、ひとつのサブ間隔から他のサブ間隔へ、表示装置の表示パネルの透過率を調整すること、前記ひとつのサブ間隔から前記他のサブ間隔へ、バックライトのバックライト強度を調整することを含む。
【０００９】
実施形態はまた、表示装置における色深度を拡大する他の方法に関する。この方法は、ビデオ信号での画素間隔について画素サブ間隔を決定すること、画素サブ間隔の光源調整を決定すること、その光源調整に基づいて光源の強度を調整すること、表示装置の表示パネルの透過率を各サブ間隔の光源調整と同期させることを含む。
【００１０】
実施形態はまた、拡大された色深度を有する表示装置に関する。その表示装置は、光源、光源に結合された光源ドライバ、光源に隣接して配置された表示パネル、表示パネルに結合された表示パネル制御回路、ならびに光源ドライバおよび表示パネル制御回路に結合されたディザリング回路を含む。ディザリング回路はまた、ビデオ信号での画素間隔について画素サブ間隔を決定するための論理と、ひとつのサブ間隔から他のサブ間隔へ、表示パネルの透過率を調整するための論理と、前記ひとつのサブ間隔から前記他のサブ間隔へ、光源強度を調整するための論理とを含む。
【００１１】
追加の実施形態は、以下の説明で部分的に述べられ、その説明から部分的に明らかになるか、あるいは本発明を実践することによって学習してよい。実施形態は、添付の特許請求の範囲で具体的に指摘される要素および組合せにより理解されそして達成される。
【００１２】
上記の概要および以下での詳細な説明のどちらも例示的、説明的であるに過ぎず、請求の通りに本発明を制限するものでないことは理解されよう。
【００１３】
本明細書に組み込まれ、その一部をなす添付の図面は、様々な実施形態を例示し、説明と併せて本発明の原理を説明するのに役立つ。
【発明を実施するための最良の形態】
【００１４】
本発明の実施形態は、表示装置における色深度を拡張する方法および装置に関する。均一光源が使用される典型的な４ビットディザリング技術では、色ごとに３つの余分なグレーシェードによって色深度が拡張されてよい。
【００１５】
本発明の実施形態によれば、表示装置の光源を調整し、各画素のディザリングを光源の調整と同期させることによって色深度が増大される。光源は、画素間隔における異なるサブ間隔の光源の強度を変更することによって調整されてよい。この場合、各画素のディザリングが、異なるサブ間隔での調整された光源と同期される。
【００１６】
光源を調整することで、ディザリング中に供給される色の範囲が増大されてよい。この方法により、表示装置のサイズおよびコストを増すことなく、表示装置の現状のハードウェアを使用して、増大された色深度が可能になる。例えば、４ビットディザリングおよび光源に対する異なる調整関数を使用すると、色ごとに９つの余分なグレーシェードが生成され、これは表示装置の色深度に２５６Ｋ色から２５１百万色超までの事実上の増大をもたらし、あるいは、色ごとに１４の余分なグレーシェードが生成され、これは表示装置の色深度に２５６Ｋ色から８４６百万色超までの事実上の増大をもたらす。
【００１７】
次に、添付の図面に例が示されている本発明の実施形態について参照が詳細になされる。可能な限りどこであれ、各図を通じて、同じ参照番号は同じまたは同様の部分を指すように使用される。
【００１８】
図２は、実施形態に相応しい表示装置２００を示す図である。表示装置２００は、ユーザにより視ることが可能な、調整された光源からの光の伝送を変化させることによってビデオを供給することが可能であれば、どのタイプの表示装置であってもよい。例えば、表示装置２００はＬＣＤであってよい。図２に示すように、表示装置２００は、光源２０２および表示パネル２０４を含む。例えば、表示装置２００がＬＣＤである場合、図３Ａおよび３Ｂそれぞれに示すように、光源２０２はＬＥＤまたはＣＣＦＬバックライトであってよい。また、表示装置２００がＬＣＤである場合、図３Ｃに示すように、表示パネル２０４は液晶パネルであってよい。表示装置２００は、バッファ２０６、ディザリング回路２０８、光源ドライバ２１０、および制御回路２１２を含む。
【００１９】
バッファ２０６は、ビデオ源（図示せず）に結合され、ディザリング回路２０８に結合される。表示装置２００は、バッファ２０６でビデオ信号を受け取る。バッファ２０６は、ビデオ信号をバッファし、そのビデオ信号をディザリング回路２０８に渡す。ディザリング回路２０８は、必要な処理を実施して、光源２０２の調整を決定する。また、ディザリング回路２０８は、表示パネル２０４のディザリングを制御する。また、ディザリング回路２０８は、光源２０２の調整および表示パネル２０４のディザリングを同期して、ビデオ信号に基づいて表示装置２００上で表示されるビデオを生成する。図４、５、および６は、実施形態に相応しいディザリング回路２０８によって実施されてよい例示的な方法を示す。
【００２０】
ディザリング回路２０８は、どんな制御および処理ハードウェア、ソフトウェア、あるいはそれらの組合せを含んでもよい。例えば、ディザリング回路２０８は、デジタルプロセッサおよびそのデジタルプロセッサに結合されたメモリを含んでよい。この例では、メモリが、デジタルプロセッサを利用して光源ドライバおよび表示パネルドライバを制御する必要な論理を含んでよい。例えば、メモリは、画素サブ間隔を決定し、光源調整を決定し、光源ドライバ信号を生成し、表示パネル制御信号を生成する論理を含んでよい。
【００２１】
ディザリング回路２０８は光源ドライバ２１０に結合される。また、ディザリング回路２０８は表示パネルドライバ２１２にも結合される。ディザリング回路２０８は、調整された光源をディザリング回路２０８によって決定されたように生成するように光源ドライバ２１０を制御するために、制御信号を生成する。また、ディザリング回路２０８は、表示パネルドライバ２１２に渡されるビデオ信号を生成する。ディザリング回路２０８によって生成されるビデオ信号は、表示されるべきビデオを生成するために、調整された光源と同期される。
【００２２】
図３Ａおよび３Ｂは、表示装置２００で使用されてよい２つのタイプの光源を示す。図３Ａは、ＬＥＤバックライティングを使用する表示装置２００を示す。表示装置２００は、ＬＥＤ３０４からなるＬＥＤバックライトパネル３０２を含む。ＬＥＤ３０４はモノクロであってよい。また、ＬＥＤ３０４はカラーであってもよい。例えば、ＬＥＤ３０４がカラーである場合、ＬＥＤ３０４は、赤、緑、青が交互になるパターンで配置される。表示装置２００はまた、バックライトパネル３０２とＬＣＤパネル３０８との間に置かれたデフューザ３０６を含む。ＬＥＤバックライトパネル３０２が、比較的構造化された強度を有する照明３１０を生成するが、デフューザ３０６が、ＬＥＤバックライトパネルから発せられた照明３１０を、実質的に均一な強度を有する照明３１２に変更する。ＬＣＤパネル３０８が、信号に基づいてＬＣＤパネル３０８の各個のＬＣＤの透過率を変えて、様々な強度を有する画像３１４を生成する。
【００２３】
図３Ｂは、ＣＣＦＬバックライティングを利用する表示装置２００を示す。図３Ｂでは、表示装置２００が、ＣＣＦＬ管３２２からなるバックライトパネル３２０を含む。ＣＣＦＬ管３２２は、垂直、水平のどちらで配置されてもよい。ＬＣＤ２００はまた、バックライトパネル３２０とＬＣＤパネル３２８との間に置かれたデフューザ３２４を含む。バックライトパネル３２０とデフューザ３２４が、実質的に均一な強度を有する照明３２６を生成する。ＬＣＤパネル３２８が、信号に基づいてＬＣＤパネル３２８の各個のＬＣＤの透過率を変えて、様々な強度を有する画像３３０を生成する。
【００２４】
上記で述べたように、ＬＥＤ３０４はモノクロであってよい。また、ＣＣＦＬ管３２２はモノクロ光源を生成する。したがって、表示装置２００は、カラービデオを生成するために、カラーフィルタを含んでよい。図３Ｃは、色および強度を原色の線型結合として生成するために、表示装置２００で使用されてよいカラーフィルタ３５０を示す。図３Ｃに示すように、カラーフィルタ３５０は、交互に並ぶ赤、緑、青のカラーフィルタ３５２を含み、それぞれが単一のＬＣセルに対応している。３つの異なる色のＬＣセルの強度を変えて異なる色を生成することによって、変化する色が生み出されるはずである。
【００２５】
図３Ｄは、実施形態に相応しい表示装置２００で表示パネル２０４および制御回路２１２として使用されてよい表示パネルおよび制御回路３６０を示す。表示パネル３６０は、ＬＣセルからなる液晶パネル３６１を含む。一連のトランジスタ３８２およびコンデンサ３８４は、ＬＣセルに接合される。表示パネル２０４が、インターフェース３６４でビデオ信号３６２を受け取る。インターフェース３６４は、ＤＡＣ３７０に結合される。ＤＡＣ３７０が、非線形参照テーブルまたは関数を介して、様々なＬＣセルを制御する電圧３７４を生成する。電圧は、そのＬＣセルに一意に関連するローカルトランジスタ３８２を介してローカルコンデンサ３８４にストローブされる。タイミングコントローラ３６６は、ＤＡＣ３７０に結合されて、ＤＡＣ３７０にタイミング信号を供給する。また、電源３６８は、ＤＡＣ３７０に結合されて、参照電圧を供給する。適切なＬＣセルが、行セレクタ３７８および列セレクタ３７６を使用して選択される。バイアス電源３８０が、トランジスタ３８４にバイアス電圧を供給する。
【００２６】
図４は、実施形態に相応しい表示装置における色深度を拡大するための方法４００を示す。方法４００は、表示装置の光源が調整されてよい表示装置であれば、どんな表示装置で実施されてもよい。例えば、方法４００は、図２および３Ａ〜Ｄに示す表示装置２００上で実施されてよい。方法４００は、画素サブ間隔で光源の強度を調整することによって表示装置の色深度を拡大する。例えば、表示装置２００が使用される場合、バックライトパネルの個々のＬＥＤまたはＣＣＦＬ管が、画素間隔のサブ間隔で調整される。
【００２７】
方法４００は、画素間隔の画素サブ間隔を決定することから始まる（ステージ４０２）。画素サブ間隔が、画素間隔をいくつかの時間期間のサブ間隔に分割することによって決定される。画素間隔は、表示装置が提供できる任意の数のサブ間隔に分割されてもよい。サブ間隔の数は、表示装置のセルが更新できる速さに基づいて決定されてよい。例えば、画素間隔が、４つの画素サブ間隔に分割されてよい。それより少ない、あるいは多いサブ間隔に画素間隔が分割されてもよいことが当業者には理解されよう。表示装置２００が使用される場合、ディザリング回路２０８が画素サブ間隔を決定してよい。
【００２８】
次に、表示装置が、光源の調整を決定する（ステージ４０４）。光源調整は、表示されるビデオに基づいて決定されてよい。また、光源調整は、所定の調整パターンから選択されてよい。調整パターンは、光源の強度が異なる画素サブ間隔で変えられる任意のタイプの関数であってよい。例えば、調整パターンは、光源の強度が画素間隔の各サブ間隔ごとに増大されるステップ状の関数であってよい。多くのパターンまたは関数が光源調整に対して実施されてもよいことが当業者には理解されよう。表示装置２００が使用される場合、ディザリング回路２０８が、画素サブ間隔および光源調整を決定してよい。
【００２９】
次いで、表示装置が、所定の光源調整に従って光源を調整する（ステージ４０６）。光源は、光源に供給される電力を変えることによって調整されてよい。例えば、表示装置２００が使用される場合、光源ドライバ２１０が、ディザリング回路２０８から受け取る調整に基づいて、光源２０２に供給される電力を変えてよい。
【００３０】
次に、表示装置が、表示パネルの透過率を調整してビデオを生成する（ステージ４０８）。表示パネルの透過率は、サブ期間中に表示パネルの透過率のレベルを変えることによって調整される。表示パネルの透過率の調整は、所望のビデオを生成する光源の調整と同期される。例えば、ビデオ信号に基づいて、表示パネルの画素の透過率が、透過率の２つの連続するレベルのうちの１つに設定されてよい。このディザリングは光源の調整と同期されるので、表示装置が達成できる色深度が増大する。例えば、表示装置２００が使用される場合、制御回路２１２が、ディザリング回路２０８から受け取る信号に基づいて、表示パネル２０４の透過率を制御してよい。
【００３１】
図５は、実施形態に相応しい色深度を拡大する方法４００の一例を示す。この色深度を拡大する例は、表示装置の光源が調整されてよい表示装置であれば、どんな表示装置で実施されてもよい。例えば、この例示的な方法は、図２および３Ａ〜Ｄに示す表示装置２００上で実施されてよい。図５は、各画素サブ間隔ごとの光源調整（グラフ５０１）および画素サブ間隔中のさまざまなＬＣＤ透過率の値（グラフ５０２〜５２２）を示す。この例では、画素間隔が、４つのサブ間隔Ｔ、２Ｔ、３Ｔおよび４Ｔに分割される。この例では、光源が、画素間隔の４つのサブ間隔と同期する、ステップ状または線形鋸歯状の包括線で調整される。具体的には、光源のステップ状パターンが、画素サブ間隔Ｔ、２Ｔ、３Ｔおよび４Ｔでそれぞれ０．４ｌ０、０．８ｌ０、１．２ｌ０および１．６ｌ０に設定される（グラフ５０１）。光源が調整されない場合、ｌ０が光源の均一強度であるはずである。例えば、表示装置２００が使用される場合、バックライトパネルのＬＥＤまたはＣＣＦＬ管が調整されるはずである。
【００３２】
色深度を拡大するために、表示パネルの画素の透過率が、ＤＡＣの出力によって、両者の間隔をδＴｒとするＴｒｎレベルまたはその次に高いレベルＴｒｎ＋１のどちらかで駆動されることになる（グラフ５０２〜５２２）。転換は、画素間隔の４つのサブ間隔を定義するＴ、２Ｔ、３Ｔ、あるいは４Ｔ指標でだけ生じてよい。画素の、知覚される、あるいは「有効」透過率（および結果として輝度）は、表示パネルのセルの実際の透過率がＴｒｎレベルおよびＴｒｎ＋１レベルにどれくらい滞留するかだけでなく、光源強度の調整に関して、対応するレベルがいつ印加されるかによっても変わる。
【００３３】
図５に示す例は、色ごとに９つの追加のグレーシェードを提供し、このグレーシェードは追加の透過率の寄与に対応する。すなわち、０．１ｌ０δＴｒ（グラフ５０４）、０．２ｌ０δＴｒ（グラフ５０６）、０．３ｌ０δＴｒ（グラフ５０８）、０．４ｌ０δＴｒ（グラフ５１０）、０．５ｌ０δＴｒ（グラフ５１２）、Ｔｒ、０．６ｌ０δＴｒ（グラフ５１４）、０．７ｌ０δＴｒ（グラフ５１６）、０．８ｌ０δＴｒ（グラフ５１８）、０．９ｌ０δＴｒ（グラフ５２０）である。具体的には、グラフ５０４を見ると、Ｔｒｎ＋１がサブ間隔Ｔで印加され、Ｔｒｎがサブ間隔２Ｔ、３Ｔ、および４Ｔで印加される。その結果、与えられたセルの有効透過率は、Ｔｒｎ＋０．１δＴｒであり、画素強度は、ｌ０（Ｔｒｎ＋０．１δＴｒ）である。
【００３４】
図５に示す光源調整の結果、色ごとに９つの余分なグレーシェードが生成され、これは表示装置の色深度に２５６Ｋ色から２５１百万色超までの事実上の増大をもたらす。８ビットＤＡＣを使用する場合、図５に示す光源調整は、表示装置の色深度に１６百万色から１６０億色超までの事実上の増大をもたらす。
【００３５】
図６は、実施形態に相応しい色深度を拡大する方法４００の他の例を示す。この色深度を拡張する例は、表示装置の光源が調整されてよい表示装置であれば、どんな表示装置で実施されてもよい。例えば、この例示的な方法は、図２および３Ａ〜Ｄに示す表示装置２００上で実施されてよい。図６は、各画素サブ間隔ごとの光源調整（グラフ６０１）および画素サブ間隔中のさまざまなＬＣＤ透過率の値（グラフ６０２〜６３２）を示す。この例では、画素間隔が、４つのサブ間隔Ｔ、２Ｔ、３Ｔおよび４Ｔに分割される。この例では、光源が、画素間隔の４つのサブ間隔と同期する、ステップ状の包括線で調整される。
【００３６】
具体的には、光源のステップ状パターンが、画素サブ間隔Ｔ、２Ｔ、３Ｔおよび４Ｔでそれぞれ０．２７ｌ０、０．５３ｌ０、１．０７ｌ０および２．１３ｌ０に設定される（グラフ６０１）。光源が調整されない場合、ｌ０が光源の均一強度であるはずである。この例では、画素間隔の強度の平均は、ｌ０（０．２７ｌ０＋０．５３ｌ０＋１．０７ｌ０＋２．１３ｌ０／４＝ｌ０）であるはずである。
【００３７】
色深度を拡大するために、表示パネルの画素の透過率が、両者の間隔をδＴｒとするＴｒｎレベルまたはその次に高いレベルＴｒｎ＋１で駆動されることになる（グラフ６０２〜６３２）。転換は、画素間隔の４つのサブ間隔を定義するＴ、２Ｔ、３Ｔ、あるいは４Ｔ指標でだけ生じてよい。画素の、知覚される、あるいは「有効」透過率（および結果として輝度）は、表示パネルのセルの実際の透過率がＴｒｎレベルおよびＴｒｎ＋１レベルにどれくらい滞留するかだけでなく、光源強度の調整に関して、対応するレベルがいつ印加されるかによっても変わる。
【００３８】
図６に示す例は、色ごとに１４の追加のグレーシェードを提供し、このグレーシェードは追加の透過率の寄与に対応する。すなわち、０．０６７ｌ０δＴｒ（グラフ６０４）、０．１３３ｌ０δＴｒ（グラフ６０６）、０．２５ｌ０δＴｒ（グラフ６０８）、０．２６７ｌ０δＴｒ（グラフ６１０）、０．３３３ｌ０δＴｒ（グラフ６１２）、０．４ｌ０δＴｒ（グラフ６１４）、０．４６７ｌ０δＴｒ（グラフ６１６）、０．５３３ｌ０δＴｒ（グラフ６１８）、０．６ｌ０δＴｒ（グラフ６２０）、０．６８７ｌ０δＴｒ（グラフ６２２）、０．７３３ｌ０δＴｒ（グラフ６２４）、０．８ｌ０δＴｒ（グラフ６２６）、０．８６７ｌ０δＴｒ（グラフ６２８）、０．９３３ｌ０δＴｒ（グラフ６３０）である。具体的には、グラフ６０４を見ると、Ｔｒｎ＋１がサブ間隔Ｔで印加され、Ｔｒｎがサブ間隔２Ｔ、３Ｔ、および４Ｔで印加される。その結果、与えられたセルの有効透過率は、Ｔｒｎ＋０．０６７δＴｒであり、画素強度は、ｌ０（Ｔｒｎ＋０．０６７δＴｒ）である。
【００３９】
図６に示す光源調整の結果、色ごとに１４の余分なグレーシェードが生成され、これは表示装置の色深度に２５６Ｋ色から８４６百万色超までの事実上の増大をもたらす。８ビットＤＡＣを使用する場合、図６に示す光源調整は、表示装置の色深度に１６百万色から５６０億色超までの事実上の増大をもたらす。
【００４０】
図５および６に示す方法が例示的であること、他の多くの異なるパターンもまた光源調整に対して実施されてよいこと、また多くの異なるサブ間隔分割が実施されてよいことが当業者には理解されよう。例えば、より少ない、あるいはより多いサブ間隔に画素間隔が分割されてもよい。また、光源調整について異なるパターンおよび強度レベルがサブ間隔中で印加されてよい。
【００４１】
また、図５および６のグラフ５０１および６０１に示す強度パターンは、例示的であるに過ぎない。図５および６の方法では、図に示す強度レベルが異なるパターンで印加されてよい。図５および６の方法では、任意のサブ間隔の強度レベルが、他の任意のサブ間隔で使用されてよい。
【００４２】
ここに開示された本明細書を考察かつ本発明を実践することにより、当業者には他の実施形態が明らかとなろう。本明細書および例は例示的であるに過ぎないと見なされるべく意図されており、本発明の真の範囲と趣旨は以下の特許の請求範囲により示される。
【図面の簡単な説明】
【００４３】
【図１】時間ディザリングの方法を示す図である。
【図２】実施形態にふさわしい表示装置を示す図である。
【図３Ａ】実施形態に相応しい表示装置の部分を示す図である。
【図３Ｂ】実施形態に相応しい表示装置の部分を示す図である。
【図３Ｃ】実施形態に相応しい表示装置の部分を示す図である。
【図３Ｄ】実施形態に相応しい表示装置の部分を示す図である。
【図４】実施形態に相応しい色深度を拡張する方法を示す流れ図である。
【図５−１】実施形態に相応しい色深度を拡張する方法の一例を示す図である。
【図５−２】実施形態に相応しい色深度を拡張する方法の一例を示す図である。
【図５−３】実施形態に相応しい色深度を拡張する方法の一例を示す図である。
【図６−１】実施形態に相応しい色深度を拡張する方法の一例を示す図である。
【図６−２】実施形態に相応しい色深度を拡張する方法の一例を示す図である。
【図６−３】実施形態に相応しい色深度を拡張する方法の一例を示す図である。
【図６−４】実施形態に相応しい色深度を拡張する方法の一例を示す図である。
【符号の説明】
【００４４】
１０４  パネル
２００  表示装置
２０２  光源
２０４  表示パネル
２０６  バッファ
２０８  ディザリング回路
２１０  光源ドライバ
２１２  制御回路
３０２  バックライトパネル
３０４  ＬＥＤ
３０６  デフューザ
３０８  ＬＣＤパネル
３１０  照明
３１２  照明
３１４  画像
３２０  バックライトパネル
３２２  ＣＣＦＬ管
３２４  デフューザ
３２６  照明
３２８  ＬＣＤパネル
３３０  画像
３５０  カラーフィルタ
３５２  カラーフィルタ
３６０  表示パネル
３６１  液晶パネル
３６２  ビデオ信号
３６４  インターフェース
３６６  タイミングコントローラ
３６８  電源
３７０  ＤＡＣ
３７４  電圧
３７６  行セレクタ
３７８  列セレクタ
３８０  バイアス電源
３８２  トランジスタ
３８４  コンデンサ
【図１】
2008129127.tif 000003
【図２】
2008129127.tif 000004
【図３Ａ】
2008129127.tif 000005
【図３Ｂ】
2008129127.tif 000006
【図３Ｃ】
2008129127.tif 000007
【図３Ｄ】
2008129127.tif 000008
【図４】
2008129127.tif 000009
【図５−１】
2008129127.tif 000010
【図５−２】
2008129127.tif 000011
【図５−３】
2008129127.tif 000012
【図６−１】
2008129127.tif 000013
【図６−２】
2008129127.tif 000014
【図６−３】
2008129127.tif 000015
【図６−４】
2008129127.tif 000016
【外国語明細書】
2008129127000001.pdf